(57)【特許請求の範囲】
【請求項１】
容器体（２）と、容器体（２）の口頸部（１２）に装着キャップ（Ａ）を嵌合させて装着するトリガー式ポンプ（３）とを備え、トリガー式ポンプ（３）は、上部より前方へ射出筒（６２）を、その下方より前方へシリンダ（３０）をそれぞれ突設した本体（Ｂ）と、射出筒（６２）先端に嵌着したノズル（Ｅ）と、本体（Ｂ）下部に回動可能に装着して容器体（２）の口頸部（１２）に嵌合させた装着キャップ（Ａ）と、射出筒（６２）前部から揺動可能に垂下するトリガー（Ｈ）と、シリンダ（３０）に前方付勢状態で嵌合させたプランジャ（Ｆ）とを備え、トリガー操作によるプランジャ（Ｆ）の後退で、シリンダ（３０）内の液が吐出弁（５６）、射出筒（６２）を通ってノズル（Ｅ）から噴出され、トリガー開放によるプランジャ（Ｆ）の前進で、容器体（２）内液体がパイプ（Ｃ）、吸込み弁（５５）を通ってシリンダ（３０）内に流入する如く構成したトリガー式液体噴出器に於いて、パイプ（Ｃ）を介して容器体（２）内よりシリンダ（３０）内に至る第１縦流路（ｐ１）と、シリンダ（３０）内より射出筒（６２）に至る第２縦流路（ｐ２）とを本体（Ｂ）内に備え、第１縦流路（ｐ１）とシリンダ（３０）内とを連通する吸込み弁孔（３５）をシリンダ（３０）内部より開閉可能に閉塞する吸込み弁体（５０）と、シリンダ（３０）内と第２縦流路（ｐ２）とを連通する吐出弁孔（３６）を第２縦流路（ｐ２）内部より開閉可能に閉塞する吐出弁体（５１）とを、シリンダ（３０）内に嵌着した基板（５２）よりそれぞれ突設した弁部材（Ｄ）を設けたことを特徴とするトリガー式液体噴出器。
【請求項２】
弁部材（Ｄ）は、シリンダ（３０）後面に突設した一対の係止凸部（３２）に抜け出しを防止して嵌合させたリング（５３）を基板（５２）両側より突設し、シリンダ（３０）後面とに隙間をあけて基板（５２）を装着し、基板（５２）下部後面に突設した半球状の吸込み弁体（５０）で吸込み弁孔（３５）を開閉可能に圧接閉塞し、基板（５２）上部後面より吐出弁孔（３６）後方へ延設した棒状連結片（５４）の後端にドーム状の吐出弁体（５１）の中央を連結し、吐出弁体（５１）の周縁部を吐出弁孔（３６）の周辺部に圧接して吐出弁孔（３６）を開閉可能に閉塞してなる請求項１に記載のトリガー式液体噴出器。
【請求項３】
本体（Ｂ）を、シリンダ（３０）を備えた下部部材（Ｂ１）と、下部部材（Ｂ１）上に上方から嵌着するとともに、射出筒（６２）を備えた上部部材（Ｂ２）とで構成し、透孔（４０）を穿設した一対の係止板（３９）をシリンダ（３０）上面に起立するとともに、射出筒（６２）下面より垂設した係止用突部（６７）両側の突起（６６）をそれぞれ透孔（４０）に嵌合させて、下部部材（Ｂ１）からの上部部材（Ｂ２）の抜け出し防止手段とした請求項１又は請求項２に記載のトリガー式液体噴出器。
【請求項４】
本体（Ｂ）を、シリンダ（３０）を備えた下部部材（Ｂ１）と、射出筒（６２）を備えた上部部材（Ｂ２）とで構成し、下部部材（Ｂ１）に装着キャップ（Ａ）とパイプ（Ｃ）とプランジャ（Ｆ）とを、上部部材（Ｂ２）にノズル（Ｅ）とトリガー（Ｈ）と、本体（Ｂ）の上面、両側面、後面を覆合するカバー（Ｉ）とを、それぞれ装着する構成とし、プランジャ（Ｆ）先端をトリガー（Ｈ）に枢着させてトリガー（Ｈ）の揺動とプランジャ（Ｆ）の前後動を連係させ、別に装着したバネ部材（Ｇ）でトリガー（Ｈ）を前方付勢することでプランジャ（Ｆ）を前方付勢する如く構成した請求項１乃至請求項３のいずれか１項に記載のトリガー式液体噴出器。
【請求項５】
バネ部材（Ｇ）は、射出筒（６２）の上に嵌着した取付基部（８０）と、取付基部（８０）の両側からそれぞれ垂設した一対のバネ板（８１）とを備え、取付基部（８０）にトリガー（Ｈ）の上部を枢着し、トリガー側板部（８５）に突設形成した上面及び後面開口の拡幅部分（８５ａ）に、バネ板（８１）下端より垂設した係止用突部（８２）を挿入係合し、バネ板（８１）とトリガー（Ｈ）とを連係させてトリガー（Ｈ）を前方へ付勢させている請求項４に記載のトリガー式液体噴出器。
【請求項６】
下部部材（Ｂ１）は、周囲に装着キャップ（Ａ）を回動可能に嵌合させた基筒部（２５）と、基筒部（２５）内の後部偏心位置に基筒部頂壁（２７）を貫通して支持されるとともに、下部にパイプ（Ｃ）を嵌着した縦筒（２８）と、縦筒（２８）の前部に突設したシリンダ（３０）とを備え、上部部材（Ｂ２）は、縦筒（２８）上端部に嵌着した嵌着筒（６０）より前方へ射出筒を突設し、射出筒（６２）先端にノズル（Ｅ）を嵌着して構成し、縦筒（２８）内所定位置に上下を遮断する遮断壁（３４）を設けて、その下方を、パイプ（Ｃ）を介して容器体（２）内よりシリンダ（３０）内に至る第１縦流路（ｐ１）として構成し、その上方を、シリンダ（３０）内より射出筒（６２）に至る第２縦流路（ｐ２）として構成した請求項３乃至請求項５のいずれか１項に記載のトリガー式液体噴出器。
【発明の詳細な説明】
【技術分野】
【０００１】
本発明はトリガー式液体噴出器に関する。
【背景技術】
【０００２】
トリガー式液体噴出器として、容器体にトリガー式ポンプを装着させて構成され、トリガー操作により容器体内の液をノズルより噴出する如く構成したものが種々提案されている。（例えば、特許文献１参照）
【０００３】
特許文献１に記載されたトリガー式液体噴出器は、垂直筒の中間部からシリンダを、上端部から射出筒をそれぞれ前方へ突出し、また、上面及び左右側面、更に後面を、カバー壁で覆合した本体を備え、本体下端に介在部材を介して容器体口頸部外面へ螺合させる装着筒を垂下し、射出筒前端には、ノズル連結部材を介してノズルを嵌合させている。更に、シリンダ内にはコイルスプリングにより前方付勢させたプランジャを嵌合させ、射出筒前部から揺動可能に垂下するトリガーの上部後面へ、プランジャ前端を係合させている。垂直筒内には吸込み弁を構成する玉状弁体を装着し、また、吐出弁を構成する弾性板付きの吐出弁部材を嵌着している。そして、上記トリガー操作によるプランジャの後退で、シリンダ内の液体が吐出弁、射出筒を通ってノズルから噴出され、またトリガー開放によるプランジャの前進で、吸上げパイプ、吸込み弁を通って容器体内液体がシリンダ内へ流入する如く構成している。
【０００４】
上記トリガー式液体噴出器の構造は、装着筒と、垂直筒、シリンダ、射出筒及びカバー壁を一体化した本体と、本体と装着筒を連結する介在部材と、ノズルと、ノズルと射出筒を連結する連結部材と、トリガーと、トリガーを付勢するコイルスプリングと、プランジャと、垂直筒内で吸込み弁を形成する玉状弁体と、吐出弁を形成する弁部材と、吸上げパイプ等から構成されており、その部材数も多く、また、各部材の組み付けの煩雑さも改良の余地があった。
【先行技術文献】
【特許文献】
【０００５】
【特許文献１】特開平１０−２４９２５２号公報
【発明の概要】
【発明が解決しようとする課題】
【０００６】
本発明は上記した点に鑑みてなされたもので、極力部材数を制限するとともに、各部材の成形性を考慮し、また、組み付け操作も容易な構造を備えたトリガー式液体噴出器を提案する。
【課題を解決するための手段】
【０００７】
第１の手段として、以下の通り構成した。即ち、容器体２と、容器体２の口頸部１２に装着キャップＡを嵌合させて装着するトリガー式ポンプ３とを備え、トリガー式ポンプ３は、上部より前方へ射出筒６２を、その下方より前方へシリンダ３０をそれぞれ突設した本体Ｂと、射出筒６２先端に嵌着したノズルＥと、本体Ｂ下部に回動可能に装着して容器体２の口頸部１２に嵌合させた装着キャップＡと、射出筒６２前部から揺動可能に垂下するトリガーＨと、シリンダ３０に前方付勢状態で嵌合させたプランジャＦとを備え、トリガー操作によるプランジャＦの後退で、シリンダ３０内の液が吐出弁５６、射出筒６２を通ってノズルＥから噴出され、トリガー開放によるプランジャＦの前進で、容器体２内液体がパイプＣ、吸込み弁５５を通ってシリンダ３０内に流入する如く構成したトリガー式液体噴出器に於いて、パイプＣを介して容器体２内よりシリンダ３０内に至る第１縦流路ｐ１と、シリンダ３０内より射出筒６２に至る第２縦流路ｐ２とを本体Ｂ内に備え、第１縦流路ｐ１とシリンダ３０内とを連通する吸込み弁孔３５をシリンダ３０内部より開閉可能に閉塞する吸込み弁体５０と、シリンダ３０内と第２縦流路ｐ２とを連通する吐出弁孔３６を第２縦流路ｐ２内部より開閉可能に閉塞する吐出弁体５１とを、シリンダ３０内に嵌着した基板５２よりそれぞれ突設した弁部材Ｄを設けた。
【０００８】
第２の手段として、以下の通り構成した。即ち、前記第１の手段に於いて、弁部材Ｄは、シリンダ３０後面に突設した一対の係止凸部３２に抜け出しを防止して嵌合させたリング５３を基板５２両側より突設し、シリンダ３０後面とに隙間をあけて基板５２を装着し、基板５２下部後面に突設した半球状の吸込み弁体５０で吸込み弁孔３５を開閉可能に圧接閉塞し、基板５２上部後面より吐出弁孔３６後方へ延設した棒状連結片５４の後端にドーム状の吐出弁体５１の中央を連結し、吐出弁体５１の周縁部を吐出弁孔３６の周辺部に圧接して吐出弁孔３６を開閉可能に閉塞してなる。
【０００９】
第３の手段として、以下の通り構成した。即ち、前記第１の手段又は第２の手段に於いて、本体Ｂを、シリンダ３０を備えた下部部材Ｂ１と、下部部材Ｂ１上に上方から嵌着するとともに、射出筒６２を備えた上部部材Ｂ２とで構成し、透孔４０を穿設した一対の係止板３９をシリンダ３０上面に起立するとともに、射出筒６２下面より垂設した係止用突部６７両側の突起６６をそれぞれ透孔４０に嵌合させて、下部部材Ｂ１からの上部部材Ｂ２の抜け出し防止手段とした。
【００１０】
第４の手段として、以下の通り構成した。即ち、前記第１の手段乃至第３手段に於いて本体Ｂを、シリンダ３０を備えた下部部材Ｂ１と、射出筒６２を備えた上部部材Ｂ２とで構成し、下部部材Ｂ１に装着キャップＡとパイプＣとプランジャＦとを、上部部材Ｂ２にノズルＥとトリガーＨと、本体Ｂの上面、両側面、後面を覆合するカバーＩとを、それぞれ装着する構成とし、プランジャＦ先端をトリガーＨに枢着させてトリガーＨの揺動とプランジャＦの前後動を連係させ、別に装着したバネ部材ＧでトリガーＨを前方付勢することでプランジャＦを前方付勢する如く構成した。
【００１１】
第５の手段として、以下の通り構成した。即ち、前記第４の手段に於いて、バネ部材Ｇは、射出筒６２の上に嵌着した取付基部８０と、取付基部８０の両側からそれぞれ垂設した一対のバネ板８１とを備え、取付基部８０にトリガーＨの上部を枢着し、トリガー側板部８５に突設形成した上面及び後面開口の拡幅部分８５ａに、バネ板８１下端より垂設した係止用突部８２を挿入係合し、バネ板８１とトリガーＨとを連係させてトリガーＨを前方へ付勢させている。
【００１２】
第６の手段として、以下の通り構成した。即ち、前記第３の手段乃至第５の手段のいずれかの手段に於いて、下部部材Ｂ１は、周囲に装着キャップＡを回動可能に嵌合させた基筒部２５と、基筒部２５内の後部偏心位置に基筒部頂壁２７を貫通して支持されるとともに、下部にパイプＣを嵌着した縦筒２８と、縦筒２８の前部に突設したシリンダ３０とを備え、上部部材Ｂ２は、縦筒２８上端部に嵌着した嵌着筒６０より前方へ射出筒を突設し、射出筒６２先端にノズルＥを嵌着して構成し、縦筒２８内所定位置に上下を遮断する遮断壁３４を設けて、その下方を、パイプＣを介して容器体２内よりシリンダ３０内に至る第１縦流路ｐ１として構成し、その上方を、シリンダ３０内より射出筒６２に至る第２縦流路ｐ２として構成した。
【発明の効果】
【００１３】
本発明によれば、パイプＣを介して容器体２内よりシリンダ３０内に至る第１縦流路ｐ１と、シリンダ３０内より射出筒６２に至る第２縦流路ｐ２とを本体Ｂ内に備え、第１縦流路ｐ１とシリンダ３０内とを連通する吸込み弁孔３５をシリンダ３０内部より開閉可能に閉塞する吸込み弁体５０と、シリンダ３０内と第２縦流路ｐ２とを連通する吐出弁孔３６を第２縦流路ｐ２内部より開閉可能に閉塞する吐出弁体５１とを、シリンダ３０内に嵌着した基板５２よりそれぞれ突設した弁部材Ｄを設けたので、吸込み弁５５及び吐出弁５６を一つの弁部材Ｄで形成できるため、成形性の向上を図れるとともに、製造コストも低下し、また、その組み付け操作も容易となる利点がある。
【００１４】
また、弁部材Ｄは、シリンダ３０後面に突設した一対の係止凸部３２に抜け出しを防止して嵌合させたリング５３を基板５２両側より突設し、シリンダ３０後面とに隙間をあけて基板５２を装着し、基板５２下部後面に突設した半球状の吸込み弁体５０で吸込み弁孔３５を開閉可能に圧接閉塞し、基板５２上部後面より吐出弁孔３６後方へ延設した棒状連結片５４の後端にドーム状の吐出弁体５１の中央を連結し、吐出弁体５１の周縁部を吐出弁孔３６の周辺部に圧接して吐出弁孔３６を開閉可能に閉塞してなる場合には、弁部材Ｄはシリンダ３０前方より打ち込み装着することができるため、その組み付け操作もより容易となる利点がある。
【００１５】
本体Ｂを、シリンダ３０を備えた下部部材Ｂ１と、下部部材Ｂ１上に上方から嵌着するとともに、射出筒６２を備えた上部部材Ｂ２とで構成し、透孔４０を穿設した一対の係止板３９をシリンダ３０上面に起立するとともに、射出筒６２下面より垂設した係止用突部６７両側の突起６６をそれぞれ透孔４０に嵌合させて、下部部材Ｂ１からの上部部材Ｂ２の抜け出し防止手段とした場合には、上部部材Ｂ２と下部部材Ｂ１との嵌合は極めて容易であり、両部材嵌着時に同時に抜け出し防止手段の係合も行えて組み付け操作が極めて容易となる。
【００１６】
本体Ｂを、シリンダ３０を備えた下部部材Ｂ１と、射出筒６２を備えた上部部材Ｂ２とで構成し、下部部材Ｂ１に装着キャップＡとパイプＣとプランジャＦとを、上部部材Ｂ２にノズルＥとトリガーＨと、本体Ｂの上面、両側面、後面を覆合するカバーＩとを、それぞれ装着する構成とし、プランジャＦ先端をトリガーＨに枢着させてトリガーＨの揺動とプランジャＦの前後動を連係させ、別に装着したバネ部材ＧでトリガーＨを前方付勢することでプランジャＦを前方付勢する如く構成した場合には、細かいコイルスプリングを使用しないで済む点からも組み付け操作が容易となり、また、本体Ｂを分離成形しているにも拘わらず、例えば、従来の介在部材や連結部材を削除できているため、部材数も多くならず、しかもそれぞれの組み付け操作がより容易となる利点がある。
【００１７】
バネ部材Ｇは、射出筒６２の上に嵌着した取付基部８０と、取付基部８０の両側からそれぞれ垂設した一対のバネ板８１とを備え、取付基部８０にトリガーＨの上部を枢着し、トリガー側板部８５に突設形成した上面及び後面開口の拡幅部分８５ａに、バネ板８１下端より垂設した係止用突部８２を挿入係合し、バネ板８１とトリガーＨとを連係させてトリガーＨを前方へ付勢させている場合には、その構造も簡単で容易な製造が可能であるとともに、取付基部８０の射出筒６２への嵌着、取付基部８０へのトリガーＨの枢着、及び拡幅部分８５ａへの係止用突部８２への挿入係合の容易さ等、更に組み付け操作が容易となる。
【００１８】
下部部材Ｂ１は、周囲に装着キャップＡを回動可能に嵌合させた基筒部２５と、基筒部２５内の後部偏心位置に基筒部頂壁２７を貫通して支持されるとともに、下部にパイプＣを嵌着した縦筒２８と、縦筒２８の前部に突設したシリンダ３０とを備え、上部部材Ｂ２は、縦筒２８上端部に嵌着した嵌着筒６０より前方へ射出筒を突設し、射出筒６２先端にノズルＥを嵌着して構成し、縦筒２８内所定位置に上下を遮断する遮断壁３４を設けて、その下方を、パイプＣを介して容器体２内よりシリンダ３０内に至る第１縦流路ｐ１として構成し、その上方を、シリンダ３０内より射出筒６２に至る第２縦流路ｐ２として構成した場合には、複雑な本体をそれぞれ簡単構造で組付け易く分離形成しているため、各部材の製造も容易となり、また、組み付けも容易である。
【図面の簡単な説明】
【００１９】
【図１】トリガー式液体噴出器の縦断面図である。（実施例１）
【図２】弁部材の拡大正面図である。（実施例１）
【図３】弁部材の拡大断面図である。（実施例１）
【図４】弁部材部分の要部拡大断面図である。（実施例１）
【図５】弁部材部分の要部正面図である。（実施例１）
【図６】図１のｘ−ｘ線部分の連結状態を説明する縦断面図である。（実施例１）
【図７】トリガー取付部分の要部説明図である。（実施例１）
【発明を実施するための形態】
【００２０】
以下、本発明の形態を図面を参照して説明する。
【００２１】
図１はトリガー式液体噴出器１の一例を示すもので、トリガー式液体噴出器１は、容器体２と、トリガー式ポンプ３とを備えている。
【００２２】
容器体２は、胴部１０より肩部１１を介して口頸部１２を起立したボトルタイプのものが使用できる。
【００２３】
トリガー式ポンプ３は、装着キャップＡと、本体Ｂと、パイプＣと、弁部材Ｄと、ノズルＥと、プランジャＦと、バネ部材Ｇと、トリガーＨと、カバーＩとを備えている。
【００２４】
装着キャップＡは、容器体２の口頸部１２外周に螺着させる周壁２０の上端より内方へフランジ２１を延設して構成している。
【００２５】
本体Ｂは、下部部材Ｂ１と、上部部材Ｂ２とで構成している。
【００２６】
下部部材Ｂ１は、外周に装着キャップＡを回動可能に嵌合させた基筒部２５を備えている。基筒部２５外周に突設したフランジ２６上に装着キャップＡのフランジ２１を遊嵌させて回動可能に装着キャップＡを嵌合させている。基筒部２５には頂壁２７を架設し、頂壁２７の後部偏心位置を貫通して縦筒２８を支持している。
【００２７】
縦筒２８の下部にはパイプＣの上端部を嵌着し、その下端を容器体２内に垂下させている。また、縦筒２８の前部で、基筒部頂壁２７上にシリンダ３０を突設している。シリンダ３０と基筒部頂壁２７とは一部を共有している。シリンダ３０の下部には容器体２内への外気の導入に寄与する透孔３１を穿設している。
【００２８】
また、シリンダ３０後面には一対の係止凸部３２を突設している。各係止凸部３２は図４及び図５に示す如く、シリンダ３０後面の上下中間部位置で、且つ左右に所定間隔をあけた位置に突設しており、先端部外周に後向きの係止段部を備えている。また、縦筒２８の所定位置には上下を遮断する遮断壁３４を設けており、この遮断壁３４の下方の縦筒２８内と吸込み弁孔３５を介してシリンダ３０内とを連通しており、また、シリンダ３０内と遮断壁３４上方の縦筒２８内とを吐出弁孔３６を介して連通している。そして、遮断壁３４の下部に、パイプＣを介して容器体２内よりシリンダ３０内に至る第１縦流路ｐ１を画成し、遮断壁３４の上部に、シリンダ３０内より後述する射出筒に至る第２縦流路ｐ２を画成している。また、縦筒２８の上部はシリンダ３０の上方へ突設し、縦筒２８の後部には、下面にカバーＩを係止する係止突起３７を突設した突部３８を設けている。
【００２９】
本発明では、特殊構成の弁部材Ｄを用いて、一つの弁部材Ｄで吸込み弁及び吐出弁を構成している。弁部材Ｄは、エラストマー、合成樹脂等の柔軟で弾力性に富む材質で形成され、第１縦流路ｐ１とシリンダ３０内とを連通する吸込み弁孔３５をシリンダ３０内部より開閉可能に閉塞する吸込み弁体５０と、シリンダ３０内と第２縦流路ｐ２とを連通する吐出弁孔３６を第２縦流路ｐ２内部より開閉可能に閉塞する吐出弁体５１とを、シリンダ３０内に嵌着した基板５２よりそれぞれ突設している。
【００３０】
本例に於ける弁部材Ｄは、図２及び図３に拡大図で示す如く、縦長矩形状をなす基板５２の両側から側方へ一対のリング５３を突設し、また、基板５２下部後面に半球状の吸込み弁体５０を突設し、更に、基板５２の上部後面より延設した棒状連結片５４の後端よりドーム状の吐出弁体５１を延設した形態をなしている。
【００３１】
そして、図４及び図５に拡大図で示す如く、シリンダ３０後面に突設した一対の係止凸部３２に各リング５３を抜け出しを防止して嵌合させ、また、吸込み弁体５０で吸込み弁孔３５を開閉可能に圧接閉塞し、更に、棒状連結片５４を吐出弁孔３６後方へ突出し、吐出弁体５１の周縁部を吐出弁孔３６の周辺部に圧接して吐出弁孔３６を開閉可能に閉塞している。この際、基板５２とシリンダ３０後面との間には隙間が生じる如く弁部材Ｄを装着している。そして、吸込み弁体５０と吸込み弁孔３５周縁部とで吸込み弁５５を、吐出弁体５１と吐出弁孔３６周辺部とで吐出弁５６をそれぞれ構成している。尚、弁部材Ｄはシリンダ３０の前方より打ち込み装着が可能である。
【００３２】
プランジャＦが押し込まれてシリンダ３０内圧が高まると吐出弁体５１が弾性変形し、第２縦流路ｐ２内へ圧入された液が射出筒６２を介してノズルＥの噴出口７１より外部へ噴出される。また、プランジャＦが前方へ移動すると、シリンダ３０内が負圧化し、吐出弁体５１が吐出弁孔３６を閉塞するとともに、吐出弁体５１が前方へ押し込まれて第１縦流路ｐ１内からシリンダ３０内に液が導入される。
【００３３】
上部部材Ｂ２は、縦筒２８の上端部外周に嵌着した有頂で上部が縮径された嵌着筒６０を備え、嵌着筒６０の頂部より垂設したシール筒６１を縦筒２８の上端部内周に嵌着している。また、嵌着筒６０の上部より前方へ射出筒６２を突設し、射出筒６２の後部両側より垂設した一対の支持板６３の下面をシリンダ３０上に載置している。射出筒６２の先端には大径の嵌合筒部６４を備え、嵌合筒部６４の中央に中心軸部６５を突設している。
【００３４】
また、図６に縦断面図で説明する如く、シリンダ３０の後部上面にそれぞれ透孔４０を備えた一対の係止板３９を立設し、射出筒６２の後部下面より垂設した、両側に突起６６を備えた係止用突部６７を垂設し、各突起６６を各透孔４０に嵌合することで上部部材Ｂ２の上方への抜け出しを防止している。係止用突部６７と各係止板３９との係合は上方からの圧接係合で行える。
【００３５】
射出筒６２の先端には直接ノズルＥを嵌着している。ノズルＥは嵌合筒部６４外周に回動可能に嵌合させた嵌合筒７０内に噴出口７１を備えた前板７２を架設し、前板７２の後面から中心軸部６５外周に嵌合させた筒部７３を突設し、図示しないが、筒部７３内に回動により中心軸部６５先端の凹溝と連通する凹溝を備えている。そして、凹溝相互が連通する位置にノズルＥを回動させることで、液の噴出が可能となり、また、凹溝相互の位置がずれた位置では流路が遮断される如く構成している。
【００３６】
プランジャＦは、シリンダ３０の内周に摺動する摺動部７５を本体部７６の外周より突設し、シリンダ３０内より先端部を突設してシリンダ３０内を前後動可能に装着している。
【００３７】
バネ部材Ｇは、射出筒６２の上に嵌着した取付基部８０と、取付基部８０の両側からそれぞれ垂設した一対のバネ板８１とを備えている。取付基部８０は、射出筒６２上の上板８０ａの両側から射出筒６２両側にそれぞれ垂下嵌合する一対の側板８０ｂを延設し、各側板８０ｂの前部両側に上部を固定して、前方へ突出湾曲する形態の一対のバネ板８１を垂設している。各バネ板８１の下端部からは係止用突部８２をそれぞれ垂設している。また、各バネ板８１の後方の各側板８０ｂ下端にはトリガーＨを枢着するための軸受け８３をそれぞれ垂設している。
【００３８】
トリガーＨは、一対の側板部８５間前部を前板部８６で連結し、側板部８５の上部に突設した軸８７を軸受け８３にそれぞれ軸着して本体Ｂに対して揺動可能に装着している。また、各側板部８５には、バネ部材Ｇを係止するための拡幅部分８５ａを設けている。この拡幅部分８５ａは、外側方へ広がり、下面が湾曲し、上面及び後面を開放した形態をなしており、この拡幅部分８５ａ内にバネ部材Ｇの係止用突部８２を嵌入している。更に、トリガーＨの側板部８５内面に回動軸８８をそれぞれ突設しており、各回動軸８８をプランジャＦの前部両側に凹設した軸受け凹部７７にそれぞれ枢着している。
【００３９】
そして、トリガーＨを引くことでプランジャＦが後方へ移動してシリンダ３０内を加圧するとともに、バネ部材Ｇは係止用突部８２が拡幅部分８５ａの前面に当接して弾性変形し、トリガーＨの押圧を開放するとバネ部材Ｇの弾性復元でトリガーＨが前方へ揺動するとともに、プランジャＦが前方へ移動する如く構成している。
【００４０】
カバーＩは、本体Ｂの両側及び上面及び後面を覆合するもので、頂部下面に設けた係合凸部９０を上部部材Ｂ２の上面に設けた係合凹部６８に係合し、また、また、後部下面に起立した係合突起９１と係止突起３７とを係合させて装着係止している。
【００４１】
尚、上記各部材は主として合成樹脂により形成され、必要に応じて金属或いは柔軟性のあるエラストマー等を併用することも可能である。
【符号の説明】
【００４２】
１：トリガー式液体噴出器
２：容器体
１０…胴部、１１…肩部、１２…口頸部
３：トリガー式ポンプ
Ａ：装着キャップ
２０…周壁、２１…フランジ
Ｂ：本体
Ｂ１：下部部材
２５…基筒部、２６…フランジ、２７…頂壁、２８…縦筒、３０…シリンダ、
３１…透孔、３２…係止凸部、３４…遮断壁、３５…吸込み弁孔、３６…吐出弁孔、
３７…係止突起、３８…突部、３９…係止板、４０…透孔
Ｂ２：上部部材
６０…嵌着筒、６１…シール筒、６２…射出筒、６３…支持板、６４…嵌合筒部、
６５…中心軸部、６６…突起、６７…係止用突部，６８…係合凹部
Ｃ：バイプ
Ｄ：弁部材
５０…吸込み弁体、５１…吐出弁体、５２…基板、５３…リング、５４…棒状連結片、
５５…吸込み弁、５６…吐出弁
Ｅ：ノズル
７０…嵌合筒、７１…噴出口、７２…前板、７３…筒部
Ｆ：プランジャ
７５…摺動部，７６…本体部、７７…軸受け凹部
Ｇ：バネ部材
８０…取付基部、８０ａ…上板、８０ｂ…側板、８１…バネ板、８２…係止用突部、
８３…軸受け                                                                    Ｈ：トリガー
８５…側板部、８５ａ…拡幅部分、８６…前板部、８７…軸、８８…回動軸
Ｉ：カバー
９０…係合凸部、９１…係合突起
ｐ１：第１縦流路
ｐ２：第２縦流路
【図１】
0005553357.tif 000002
【図２】
0005553357.tif 000003
【図３】
0005553357.tif 000004
【図４】
0005553357.tif 000005
【図５】
0005553357.tif 000006
【図６】
0005553357.tif 000007
【図７】
0005553357.tif 000008